(57)【要約】【課題】動画撮影時に撮影画面の上下方向のブレが生じた場合においても、ブレが目立たない動画を記録することができる撮像装置を提供する。【解決手段】被写体からの光を撮像する撮像素子１２と、前記撮像素子から第１のフレームレートで読み出された動画像データを、所定の記録用フレームレートで記録媒体に記録する記録制御部１０と、撮影画面の上下方向のブレを検知するブレ検知部２２と、を備え、前記記録制御部は、前記ブレ検知部により前記撮影画面のブレが検出されている間は、前記第１のフレームレートよりも大きいフレームレートである第２のフレームレートで前記撮像素子から読み出された動画像データを、前記所定の記録用フレームレートで前記記録媒体１６に記録する。【選択図】図１
2012009984.tif 000002
【特許請求の範囲】
【請求項１】
被写体からの光を撮像する撮像素子と、
前記撮像素子から第１のフレームレートで読み出された動画像データを、所定の記録用フレームレートで記録媒体に記録する記録制御部と、
撮影画面の上下方向のブレを検知するブレ検知部と、
を備え、
前記記録制御部は、前記ブレ検知部により前記撮影画面のブレが検出されている間は、前記第１のフレームレートよりも大きいフレームレートである第２のフレームレートで前記撮像素子から読み出された動画像データを、前記所定の記録用フレームレートで前記記録媒体に記録することを特徴とする撮像装置。
【請求項２】
前記撮影画面における構図変化を検出する構図変化検出部を備え、
前記構図変化検出部により前記撮影画面の左右方向の構図変化が検出されている間、前記検知部は、前記撮影画面のブレの検知を行うことを特徴とする請求項１記載の撮像装置。
【請求項３】
動画撮影時の音声データを記録する音声記録部と、
前記撮像素子から前記第２のフレームレートで前記動画像データが読み出された期間における前記音声データを、前記第２のフレームレートで読み出され前記記録部に前記所定の記録用フレームレートで記録された前記動画像データに対応付けて前記音声記録部に等速の音声データとして記録する音声記録制御部と、
を備えることを特徴とする請求項１〜請求項３の何れか一項に記載の撮像装置。
【請求項４】
前記音声記録制御部は、
前記第１のフレームレートで読み出され前記所定の記録用フレームレートで記録された前記動画像データに対応付けて記録されている音声データと、前記第２のフレームレートで読み出され前記所定の記録用フレームレートで記録された前記動画像データに対応付けて記録されている前記等速の音声データとの間の繋ぎ期間において、何れか一方の前記音声データをフェードイン処理またはフェードアウト処理して記録することを特徴とする請求項３記載の撮像装置。
【発明の詳細な説明】
【技術分野】
【０００１】
本発明は、動画の撮像を行う撮像装置に関するものである。
【背景技術】
【０００２】
撮影中の撮影画面のブレを防止するブレ防止装置を備える撮像装置が存在する（例えば特許文献１参照）。この撮像装置においては、撮影中の撮影画面のブレを防止することにより撮影された画像の品位の向上を図っている。
【先行技術文献】
【特許文献】
【０００３】
【特許文献１】特開平１０−２５４００７号公報
【発明の概要】
【発明が解決しようとする課題】
【０００４】
しかしながら、ブレ防止装置を備える撮像装置であっても、ブレ補正の範囲を超えた手振れ等には対応することができない。従って、撮影者がカメラを水平方向左右にパンニングしながら動画撮影を行う場合等においては、ブレ補正の範囲を超えて撮影画面の上下方向のブレが生じることがあり、撮影された動画の品位の低下を招いていた。
【０００５】
本発明の目的は、動画撮影時に撮影画面の上下方向のブレが生じた場合においても、ブレが目立たない動画を記録することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置（２）は、被写体からの光を撮像する撮像素子（１２）と、前記撮像素子から第１のフレームレートで読み出された動画像データを、所定の記録用フレームレートで記録媒体に記録する記録制御部（１０）と、撮影画面の上下方向のブレを検知するブレ検知部（２２）と、を備え、前記記録制御部は、前記ブレ検知部により前記撮影画面のブレが検出されている間は、前記第１のフレームレートよりも大きいフレームレートである第２のフレームレートで前記撮像素子から読み出された動画像データを、前記所定の記録用フレームレートで前記記録媒体（１６）に記録することを特徴とする。
【発明の効果】
【０００８】
本発明によれば、動画撮影時に撮影画面の上下方向のブレが生じた場合においても、ブレが目立たない動画を記録することができる撮像装置を提供することができる。
【図面の簡単な説明】
【０００９】
【図１】実施の形態に係る電子カメラのシステム構成を示すブロック図である。
【図２】実施の形態に係る電子カメラの動画記録処理を示すフローチャートである。
【図３】実施の形態に係る電子カメラにより記録される動画像データを構成するフレーム画像を示す図である。
【図４】実施の形態に係る電子カメラにより記録される動画像データ及び音声データを示す図である。
【図５】実施の形態に係る電子カメラにより記録される動画像データ及び音声データを示す図である。
【発明を実施するための形態】
【００１０】
以下、図面を参照して、本発明の実施の形態に係る撮像装置としての電子カメラについて説明する。図１は実施の形態に係る電子カメラ２のシステム構成を示すブロック図である。図１に示すように、電子カメラ２は、マイクロプロセッサ等により構成され電子カメラ２の各部を統括的に制御する制御部１０を備えている。制御部１０には、撮像素子１２、記憶部１４、記録媒体１６、表示部１８、操作部２０、加速度センサ２２、電子コンパス２４及びマイク２６が接続されている。
【００１１】
撮像素子１２は、ＣＣＤまたはＣＭＯＳ等により構成され、撮影レンズ（図示せず）を介した被写体からの光を撮像し、制御部１０に対して撮像信号を出力する。制御部１０は、撮像素子１２から所定のフレームレートで出力された撮像信号に基づく動画像データを生成し、記憶部１４に一時的に記録する。
【００１２】
記録媒体１６は、電子カメラ２に設けられたカードスロット（図示せず）に着脱可能に装着される可搬性を有する記録媒体であり、例えば、ＣＦカード、ＳＤカード、スマートメディア等が用いられる。記録媒体１６には、所定の記録用フレームレートの動画像データ及びこの動画像データに対応付けられた音声データが記録される。
【００１３】
表示部１８は、電子カメラ２の背面部に配置されるＬＣＤモニタにより構成され、撮像素子１２からの撮像信号に基づくスルー画像等を表示する。操作部２０は、電子カメラ２の電源をオン／オフする電源スイッチ、動画撮影を指示する動画撮影ボタン等を含んで構成されている。
【００１４】
加速度センサ２２は、撮影画面の上下方向のブレを検出し検出結果を制御部１０に対して出力する。電子コンパス２４は、電子カメラ２による撮影方位を検出し検出結果を制御部１０に対して出力する。マイク２６は、動画撮影時の音声を取得して制御部１０に対して出力する。制御部１０は、音声データを動画像データに対応させて記憶部１４に一時的に記憶させる。
【００１５】
次に、図２に示すフローチャートを参照して、実施の形態に係る電子カメラ２における動画撮影について説明する。電子カメラ２の操作部２０の電源がオンされ動画撮影ボタンが操作されると、制御部１０は撮像素子１２による動画撮影を開始する（ステップＳ１０）。動画撮影においては、制御部１０は、撮像素子１２から３０ｆｐｓのフレームレートでフレーム画像を読み出し、３０ｆｐｓの記録用フレームレートで記憶部１４に動画像データを構成するフレーム画像を一時的に記憶する。この場合に、マイク２６により取得した音声データも、動画像データに対応付けて記憶部１４に記憶する（ステップＳ１１）。即ち、図３（ａ），（ｂ）に示すように、撮像素子１２から３０ｆｐｓのフレームレートで読み出されたフレーム画像は、３０ｆｐｓの記録用フレームレートで記憶部１４に記録される。また、図４のＡに示すように、記憶部１４に記録される動画像データに対応付けて、動画撮影時に取得した動画像データと同じ時間の音声データが記憶部１４に記録される。
【００１６】
次に制御部１０は、操作部２０において動画撮影の終了指示が行われたか否かの判別を行い終了指示が行われていない場合、即ち動画撮影が続けられている場合には（ステップＳ１２：Ｎｏ）、電子コンパス２４の検出結果に基づいて撮影画面の左右方向の構図変化が検出されているか否かの判別を行う（ステップＳ１３）。即ち、電子コンパスの検出結果に基づいて電子カメラ２において左右方向のパンニングを行いながら動画撮影が行われているか否かの判別を行う。ここで撮影画面の左右方向の構図変化が検出されていないと判別された場合には（ステップＳ１３：Ｎｏ）、ステップＳ１１に戻り、撮像素子１２から３０ｆｐｓのフレームレートでフレーム画像を読み出し、３０ｆｐｓの記録用フレームレートで記憶部１４に記憶する等速の動画撮影を続ける。
【００１７】
一方、撮影画面の左右方向の構図変化が検出されていると判別された場合には（ステップＳ１３：Ｙｅｓ）、制御部１０は、加速度センサ２２の検出結果に基づいて所定値以上の撮影画面の上下方向のブレが検知されているか否かの判別を行う（ステップＳ１４）。ここで所定値以上の撮影画面の上下方向のブレが検知されていない場合には、ステップＳ１１に戻り等速の動画撮影を続ける。
【００１８】
一方、所定値以上の撮影画面の上下方向のブレが検知されていると判別された場合には、制御部１０は、撮像素子１２から６０ｆｐｓのフレームレートでフレーム画像を読み出し、３０ｆｐｓの記録用フレームレートで記憶部１４に動画像データを一時的に記憶する。この場合に、マイク２６により取得した音声データも、動画像データに対応させて記憶部１４に記憶する（ステップＳ１５）。即ち、図３（ｂ），（ｃ）に示すように、撮像素子１２からフレーム画像を読み出すフレームレートを等速の動画撮影時の２倍の６０ｆｐｓにし、記憶部１４に等速の動画撮影の場合と同一の記録用フレームレート（３０ｆｐｓ）で記録する倍速の動画撮影を行う。
【００１９】
ここで記憶部１４に記録されている動画像データは、図４のＢに示すように、撮像素子１２から６０ｆｐｓのフレームレートで読み出されたフレーム画像が、記憶部１４に３０ｆｐｓの記録用のフレームレートで記録されるため、この動画像データの再生時間は、実際の動画撮影時間の２倍となりスローモーション再生される。一方、音声データは、動画撮影時の音声速度のままの等速の音声データとして記憶部１４に記憶されるため、音声データの再生時間は動画再生時間の１／２となる。即ち、倍速の動画撮影が行われた動画像データを再生する場合には、動画再生時間の１／２の時間は無音となる。
【００２０】
次に制御部１０は、操作部２０において動画撮影の終了指示が行われたか否かの判別を行い終了指示が行われていないと判別した場合、即ち動画撮影が続けられている場合には（ステップＳ１６：Ｎｏ）、ステップＳ１３に戻り、電子コンパス２４の検出結果に基づいて撮影画面の左右方向の構図変化が検出されているか否かの判別をおこない（ステップＳ１３）、加速度センサ２２の検出結果に基づいて所定値以上の撮影画面の上下方向のブレが検知されているか否かの判別を行う（ステップＳ１４）。即ち、制御部１０は、電子カメラ２において左右方向のパンニングを行いながら動画撮影が行われており、その際に所定値以上の撮影画面の上下方向のブレが検知されている間は倍速の動画撮影を行う。一方、ステップＳ１３において左右方向の構図変化が検出されなくなった場合、及びステップＳ１４で所定値以上の撮影画面の上下方向のブレが検知されなくなった場合には等速の動画撮影を行い、図４のＣに示すように、等速の動画撮影により取得した動画像データ及び音声データを記憶部１４に記憶する。
【００２１】
制御部１０は、操作部２０において動画撮影の終了指示が行われたと判別した場合には（ステップＳ１２、ステップＳ１６：Ｙｅｓ）、記憶部１４に記憶されている音声データの必要な部分に対して所望のフェードイン処理及びフェードアウト処理を行い（ステップＳ１７）、動画像データと共に記録媒体に記録する（ステップＳ１８）。即ち、図４に示すように、等速で撮影された動画像データに対応付けられて記憶されている音声データと、倍速で撮影された動画像データに対応付けられて記憶されている音声データの繋ぎ期間に無音期間を設けない場合には、倍速で撮影された動画像データの再生期間において再生時間の後ろ半分は無音期間となる。従って、倍速で撮影された動画像データに対応付けられて記憶されている音声データの終端部にフェードアウト処理を行う。また、倍速で撮影された動画像データに続いて撮影された等速の動画動データに対応付けられて記憶されている音声データの先端部分についてフェードイン処理を行う。
【００２２】
なお、図５に示すように、等速で撮影された動画像データに対応付けられて記憶されている音声データと、倍速で撮影された動画像データに対応付けられて記憶されている音声データの繋ぎ期間無音期間を設ける場合には、倍速で撮影された動画像データの再生時間の前と後ろが無音期間となる。従って、等速で撮影された動画像データに対応付けられて記憶されている音声データの終端部にフェードアウト処理、倍速で撮影された動画像データに対応付けられて記憶されている音声データの前端部にフェードイン処理、倍速で撮影された動画像データに対応付けられて記憶されている音声データの終端部にフェードアウト処理、等速で撮影された動画像データに対応付けられて記憶されている音声データの先端部にフェードイン処理を行う。
【００２３】
この実施の形態に係るカメラによれば、左右方向のパンニングを行いながら動画撮影を行っている際に、撮影画面に所定値以上の上下方向のブレが生じた場合には、等速の動画撮影から倍速の動画撮影に切替えられるため、この動画像データの再生を行う場合には、倍速で動画撮影が行われた部分については、スローモーション再生が行われる。従って、画面の上下方向のブレを鑑賞上目立たなくすることができ再生される動画の品位の低下を防止することができる。また、等速で撮影された動画像データに対応付けられて記憶されている音声データと、倍速で撮影された動画像データに対応付けられて記憶されている音声データの繋ぎ期間に無音期間を設ける場合には、等速で撮影された動画像データに対応付けられて記憶されている音声データと倍速で撮影された動画像データに対応付けられて記憶されている音声データにフェードイン処理またはフェードアウト処理を行うため、倍速で撮影された動画像データの再生時に無音期間がある場合においても違和感なく音声を聞くことができる。
【００２４】
なお、上述の実施の形態において、倍速で撮影された動画像データに対応付けられて記憶されている等速の音声データにイベント音が含まれている場合には、倍速で撮影された動画像データを再生する際に、そのイベントに等速の音声データに含まれているイベント音が一致して再生されるように、倍速で撮影された動画像データに対応付けられてされる音声データの前後の無音期間の長さを調整するようにしてもよい。
【００２５】
また、倍速で撮影された動画像データに対応付けられて記憶されている音声データを、動画像データの再生時に２回再生して、倍速で撮影された動画像データに対応して記憶されている音声データの前後に無音期間を設けないようにしてもよい。
【００２６】
また、上述の実施の形態においては、画面左右方向の構図変化の検出に電子コンパス２４を用いているが、電子カメラ２に備えられている加速度センサ２２による検出値を用いて、撮影方位を検出し、この検出結果に基づいて画面左右方向の構図変化の検出を行うようにしてもよい。また、撮影された動画像データに対して画像処理を行い、被写体全体の画面の左右方向への移動、または背景パターンの画面の左右方向への移動を検出し、この検出結果に基づいて画面左右方向の構図変化の検出を行うようにしてもよい。また、電子コンパス２４による検出結果、加速度センサ２２による検出結果及び画像処理による検出結果を適宜組み合わせて画面左右方向の構図変化の検出を行うようにしてもよい。
【００２７】
また、上述の実施の形態においては、画面左右方向の構図変化中の所定値以上の上下方向のブレを検出している間倍速の動画撮影を行っているが、画面左右方向の構図変化中でなくてもブレを検出している場合には、倍速の動画撮影を行うようにしてもよい。
【００２８】
また、上述の実施の形態に係る電子カメラに手振れ補正機構を設け、手振れ補正機構による手振れ補正を行いながら、画面左右方向の構図変化中の所定値以上の上下方向のブレを検出した場合に、倍速の動画撮影を行うようにしてもよい。
【符号の説明】
【００２９】
２…電子カメラ、１０…制御部、１２…撮像素子、１４…記憶部、１６…記録媒体、１８…表示部、２０…操作部、２２…加速度センサ、２４…電子コンパス、２６…マイク。
【図１】
2012009984.tif 000003
【図２】
2012009984.tif 000004
【図３】
2012009984.tif 000005
【図４】
2012009984.tif 000006
【図５】
2012009984.tif 000007